(57)【要約】【課題】テレビ受信機による小型メモリカードのデータ閲覧では、ユーザーがメモリカードを挿入後、メモリカード起動ボタンを押下し、テレビジョン受信機に表示されるメニュー画面に従ってユーザーが表示させたいコンテンツを選択しなければならず、操作性が非常に悪かった。【解決手段】脱着可能な小型メモリカードを有するテレビジョン受信機において、地上波デジタル放送、もしくはアナログ放送のチャンネルサーチを実施し、プリセットしていないチャンネルにメモリカードの内部のフォルダ構成を割り当てることにより、リモコン等で前記フォルダを割り当てたチャンネルキーを押下することで、誰でも簡単にテレビ放送の一環として小型メモリカード上のデータを閲覧できるようにする。【選択図】図１
2006086820.tif 000002
【特許請求の範囲】
【請求項１】
脱着可能な小型メモリカードを有し、その信号を処理するＣＰＵを有し、前記ＣＰＵもしくは画像処理部で小型メモリカードの静止画像、および動画などの情報をデコードし、画像表示を行う構成をもち、前記ＣＰＵで地上波デジタル放送、もしくはアナログ放送のチャンネルサーチを実施し、プリセットしていないチャンネルのリストを作成し、そのリストに前記メモリカードの内部のフォルダ構成を割り当て、その割り当てたチャンネル情報をメモリに保存し、リモコン等で前記フォルダを割り当てたチャンネルキーを押下した場合に前記ハード構成によりデコードすることを特徴とするテレビジョン受信機。
【請求項２】
請求項１に記載したテレビジョン受信機にメモリ閲覧専用チャンネル空間を設け、そのメモリ閲覧専用チャンネルに請求項１に記載のメモリカードのフォルダを割り当て、その割り当てた情報を保存し、リモコン等のネットワーク切り替えボタンを押下し、メモリ閲覧専用チャンネルを選択することにより、メモリ情報をデコードすることを特徴とする請求項１のテレビジョン受信機。
【発明の詳細な説明】
【技術分野】
【０００１】
本発明は、小型メモリカードを有するテレビジョン受信機に関するものである。
【背景技術】
【０００２】
昨今、テレビジョン受信機には小型メモリカードスロットが搭載され、パソコンを使わずにして、音楽再生や、静止画、動画、ＨＴＭＬなどを表示することが可能になった。
【０００３】
図７に従来のハード構成図を示す。図７において、１はリモコン発信機である。２が小型メモリカードである。３はリモコン受光部である。４はＣＰＵである。５は画像処理部である。６はＣＰＵのワーク用メモリ１である。７は画像処理部へ接続するメモリ２である。８は画像表示部である。
【０００４】
９はテレビジョン受信機である。１０は小型メモリカードと同じ映像、音声のデータを格納する内部メモリ３である。１１はプログラムを格納するメモリ４である。
【０００５】
１２が外部入力である。１３は前記外部入力と画像処理部の出力信号を切り替える切換回路である。
【０００６】
図８にて従来のチャンネル受信方法と、小型メモリカードからの信号の表示方法について説明する。従来はデジタル放送受信と、小型メモリカードの再生はリモコンの専用キーもしくは画面上のＯＳＤで操作してテレビ閲覧とは別に行う必要があった。ステップ１において、地上波デジタル放送、もしくはアナログ放送のチャンネルサーチを実施し、そのチャンネルデータを前記１１のメモリ４に保存する。一方、ステップ５で小型メモリカードを挿入し、ステップ６でメモリーカードの起動ボタンを押下することによって前記ＣＰＵが内部のフォルダ構成のチェックを行う。前記リモコン発信機１からの信号により映像信号を切り替え、テレビ映像か小型メモリカードの映像を切り替える。
【０００７】
以上の構成では、小型メモリカードのデータを表示させるには、ユーザーはメモリカードを挿入後、メモリカード起動ボタンを押下し、テレビジョン受信機に表示されるメニュー画面に従ってユーザーが表示させたいコンテンツを選択しなければならず、操作性が非常に悪かった。
【特許文献１】国際公開第９８／０２９６２号パンフレット
【発明の開示】
【発明が解決しようとする課題】
【０００８】
小型メモリカードのデータ閲覧には、ユーザーがメモリカードを挿入後、メモリカード起動ボタンを押下し、テレビジョン受信機に表示されるメニュー画面に従ってユーザーが表示させたいコンテンツを選択しなければならず、操作性が非常に悪いという点である。
【課題を解決するための手段】
【０００９】
脱着可能な小型メモリカードを有するテレビジョン受信機において、地上波デジタル放送、もしくはアナログ放送のチャンネルサーチを実施し、プリセットしていないチャンネルにメモリカードの内部のフォルダ構成を割り当て、その割り当てたチャンネル情報をメモリに保存し、リモコン等で前記フォルダを割り当てたチャンネルキーを押下した場合に前記ハード構成によりデコードする。
【００１０】
次に、前述したチャンネル割り当て方法の他に、メモリ閲覧専用チャンネル（テンキー）を設け、そのメモリ閲覧専用チャンネルにメモリカードのフォルダを割り当て、その割り当てたチャンネル情報を保存し、リモコン等のネットワーク切り替えボタンを押下し、メモリ閲覧専用チャンネルを選択することにより、メモリ情報をデコードする手段を有する。
【発明の効果】
【００１１】
本発明のテレビジョン受信機は、テレビジョン受信機上の空きチャンネルに小型メモリカードのフォルダを割り当てることで、小型メモリカードの専用キーを押下することなく、画像等の表示をすることができるという利点がある。
【００１２】
また、放送切り替えボタン等でメモリカード閲覧チャンネルに切り替えることで、
カードの多くのコンテンツを、テレビの選局と同じ感覚でテンキーからダイレクトで選択することができ、操作性が向上し効果大である。
【発明を実施するための最良の形態】
【００１３】
（実施の形態１）
図１に本発明の実施例の構成を示す。
【００１４】
ハードとしては基本的には従来の構成と同じであり、１はリモコン発信機である。２が小型メモリカードである。３はリモコン受光部である。４はＣＰＵである。５は画像処理部である。６はＣＰＵのワーク用メモリ１である。７は画像処理部へ接続するメモリ２である。８は画像表示部である。
【００１５】
９はテレビジョン受信機である。１０は小型メモリカードと同じ映像、音声のデータを格納する内部メモリ３である。１１はプログラムを格納するメモリ４である。１２が外部入力である。１３は前記外部入力と画像処理部の出力信号を切り替える切換回路である。
【００１６】
図２にてチャンネルの割り当て方法を示す。
【００１７】
前記リモコン発信機１を用いて、ＣＰＵ４にて地上波デジタル放送、もしくはアナログ放送のチャンネルサーチを実施し（ステップ１）、そのチャンネルデータよりプリセットしていないチャンネルのリストを作成し（ステップ２）、前記１１のメモリ４に保存する。
【００１８】
同時に小型メモリカード２が挿入されると（ステップ５）、ＣＰＵ４にて内部フォルダ構成のチェックを行い（ステップ６）、その後、前記１１のメモリ４に保存されているプリセットされていないチャンネルリストに小型メモリカードのフォルダの割り当てを行い（ステップ７）、チャンネル情報を保存する（ステップ８）。
【００１９】
図６にメモリカードのフォルダとチャンネルの割り当てのイメージ図を示す。
【００２０】
次に、図４にて、チャンネルの受信方法の一例をしめす。
【００２１】
まず、前記リモコン受信機１を用い選局されると、ＣＰＵ４にて選局されたキーがプリセットされているチャンネルかどうかを判断する。選局されたキーがプリセットされているキーである場合には、地上波デジタル放送または地上波アナログ放送を受信する。
【００２２】
選局されたキーがプリセットされていないキーであった場合には、前記１１メモリ４の小型メモリカードのチャンネル情報を閲覧し、画像処理部５に送られ、画像表示部８により表示される。
【００２３】
また、小型メモリカードは脱着式でなく内部メモリとしてもっていてもよいし、外部入力のＤＶＤ等であっても構わない。
【００２４】
なお、小型メモリカードのデータとしては、静止画像、動画以外にＨＴＭＬおよび音楽データなどでもよい。
【００２５】
さらには、以上のような構成により得られた空きチャンネルに相当する小型メモリーカードの情報は番組表内に挿入し、表示させてもよい。番組表内の文字情報としては、フォルダ名としてもたせてもよいし、別途テキスト形式でもたせてもよい。
【００２６】
（実施の形態２）
実施の形態２における本発明のテレビジョン受信装置の構成図は、実施の形態１と同様である。
【００２７】
図３にてチャンネルの割り当て方法を示す。
【００２８】
前記リモコン発信機１を用いて、ネットワーク切り替えによりメモリ閲覧専用チャンネルが選択されると（ステップ１）、メモリ閲覧専用チャンネル内でチャンネルサーチが行われ（ステップ２）、１１のメモリ４にチャンネル割り当て情報が保存される。そこで、小型メモリカード２が挿入されると（ステップ５）、ＣＰＵ４にて内部フォルダ構成のチェックを行い（ステップ６）、その後、ＣＰＵ４で小型メモリカードのフォルダのチャンネル割り当てを行い（ステップ７）、１１のメモリ４にチャンネル情報を保存する（ステップ８）。
【００２９】
次に、図５にて、チャンネルの受信方法の一例を示す。
【００３０】
まず、前記リモコン受信機１を用い、ネットワークがメモリ閲覧専用チャンネルに切り替えられると、あらかじめ１１のメモリ４に保存したチャンネルリストをもとにメモリカードのデータを読み出し、ＣＰＵ４でアプリケーションソフトを起動させ、画像処理部５に送られ、画像表示部８により表示される。
【００３１】
また、小型メモリカードは脱着式でなく内部メモリとしてもっていてもよいし、外部入力のＤＶＤ等であっても構わない。
【００３２】
なお、小型メモリカードのデータとしては、静止画像、動画以外にＨＴＭＬおよび音楽データなどでもよい。
【００３３】
さらには、以上のような構成により得られた空きチャンネルに相当する小型メモリーカードの情報は
番組表内に挿入し、表示させてもよい。番組表内の文字情報としては、フォルダ名としてもたせてもよいし、別途テキスト形式でもたせてもよい。
【産業上の利用可能性】
【００３４】
本発明にかかるテレビジョン受信機は、小型メモリカード内の映像等データを、テレビの選局と同じ感覚でダイレクトに選択することができ、操作性を向上させるものとして有用である。
【図面の簡単な説明】
【００３５】
【図１】本発明のテレビジョン受信装置の構成図
【図２】本発明の実施の形態１におけるチャンネル割り当て方法を示した図
【図３】本発明の実施の形態２におけるチャンネル割り当て方法を示した図
【図４】本発明の実施の形態１におけるチャンネル受信方法を示した図
【図５】本発明の実施の形態２におけるチャンネル受信方法を示した図
【図６】本発明の実施の形態１におけるメモリカードのフォルダとチャンネルの関係を示した図
【図７】従来例の構成図
【図８】従来のチャンネル受信方法を示した図
【符号の説明】
【００３６】
１    リモコン発信機
２    小型メモリーカード
３    リモコン受光部
４    ＣＰＵ
５    画像処理部
６    ＣＰＵのワーク用メモリ１
７    画像処理部へ接続するメモリ２
８    画像表示部
９    テレビジョン受信機
１０    小型メモリカードと同じ映像、音声のデータを格納する内部メモリ３
１１    プログラムを格納するメモリ４で
１２    外部入力
１３    前記外部入力と画像処理部の出力信号を切り替える切換回路
【図１】
2006086820.tif 000003
【図２】
2006086820.tif 000004
【図３】
2006086820.tif 000005
【図４】
2006086820.tif 000006
【図５】
2006086820.tif 000007
【図６】
2006086820.tif 000008
【図７】
2006086820.tif 000009
【図８】
2006086820.tif 000010